(57)【要約】【課題】  顎部の自動口開きが可能なプライヤーの提供。【解決手段】  上下の顎部２Ａ・２Ｂを有する一対のハンドル１Ａ・１Ｂとボルト７・ナット８とを備え、該ボルト７・ナット８で、一対のハンドル１Ａ・１Ｂを回転可能に軸支するプライヤーにおいて、上記ハンドル１Ａ・１Ｂを軸支するボルト７の外周囲にスプリング９を装着して、該外周囲に装着されたスプリング９の弾発付勢力で、上記一対のハンドル１Ａ・１Ｂの各顎部２Ａ・２Ｂを口開きすることにより、部品点数が徒に増加することはなくなるので、プライヤー自体のコストが安価となると共に、これに応じて、組み立て作業性も頗る容易となる。その上、スプリング９の収納スペースは制限を受けないので、比較的大きなスプリングを使用できる結果、長期使用に伴うヘタリも有効に防止できる。【選択図】  図１
2011230233.tif 000002
【特許請求の範囲】
【請求項１】
上下の顎部を有する一対のハンドルとボルト・ナットとを備え、該ボルト・ナットで、一対のハンドルを回転可能に軸支するプライヤーにおいて、上記ハンドルを軸支するボルトの外周囲にスプリングを装着して、該外周囲に装着されたスプリングの弾発付勢力で、上記一対のハンドルの各顎部を口開きすることを特徴とするプライヤー。
【請求項２】
上記スプリングは、捩じりコイルばねであることを特徴とする請求項１記載のプライヤー。
【請求項３】
捩じりコイルばねの一端部はボルト側に固定され、同他端部は一方のハンドル側にスライド可能に係止されていることを特徴とする請求項２記載のプライヤー。
【発明の詳細な説明】
【技術分野】
【０００１】
本発明は、例えば、ウオーターポンププライヤーやコンビネーションプライヤー等の各種プライヤーに関するものである。
【背景技術】
【０００２】
各種プライヤーの内、従来のウオーターポンププライヤーは、具体的には図示しないが、先端部に上下の顎部を有する一対のハンドルと、該一対のハンドルを回転可能に軸支するボルト・ナットと、下顎部を有する他方のハンドルを開き方向へ弾発付勢して上下顎部の口開きを促すリング状のスプリングと、後述するガイド長孔の係合歯に係脱可能に係止する係止爪とを備え、上顎部を有する一方のハンドルの首部に鋸歯状を呈する係合歯付きガイド長孔を開設する一方、上記他方のハンドルの首部の対応部位に上記ボルトの先端を挿通する挿通孔を穿設すると共に、該挿通孔の外周に上記リング状のスプリングを装着する装着溝を同心円上に形成し、且つ、該装着溝の一部にスプリングの両端部を嵌め込む貫通孔を形成する構成となっている（例えば、特許文献１参照）。
【０００３】
そして、その組み立てに際しては、スプリングの両端部を上記他方のハンドルの貫通孔に嵌め込んだ状態を得て、該スプリングを装着溝に装着する一方、係止爪を上記一方のハンドルのガイド長孔内に臨ましめながら、下顎部を有する他方のハンドルの挿通孔から係止爪の通孔へボルトの先端を挿通して、上記貫通孔に嵌め込まれたスプリングの長寸一端部を係止爪の受け孔に差し込んで、上顎部を有する一方のハンドルのガイド長孔から突出するボルト先端をナットで締め付ければ、これにより、ウオーターポンププライヤーが組み立てられる。
【０００４】
又、斯かる組み立て状態にあっては、上記したスプリングの弾発付勢力で、下顎部を有する他方のハンドルが開き方向に弾発付勢されて、一対のハンドルの下顎部と上顎部とが口開きを起こすので、後は、ガイド長孔内で係止爪を移動させて上下顎部間の距離を調節して、水道の蛇口ネジや配管のネジ等を掴めば、これを簡単に緊締又は弛緩することができる。
【先行技術文献】
【特許文献】
【０００５】
【特許文献１】実公昭３９−１３９１号公報
【発明の概要】
【発明が解決しようとする課題】
【０００６】
従って、従来のウオーターポンププライヤーの下では、スプリングを使用することにより、上下の顎部を自動的に口開きできるので、その作業性が良好となる利点を有するが、反面、この為には、ハンドルを軸支するボルト・ナットの他に、スプリングや係止爪が必要となるので、自ずと部品点数が増加して、コスト高となることは言うまでもないが、これに伴い、組み立て作業も徒に大変となる嫌いがあった。
【０００７】
又、スプリング自体の収納スペースは限られているので、使用できるスプリングが自ずと小さくなって、十分な弾発付勢力が得られないばかりか、容易にヘタル恐れも十分にあった。更に、他方のハンドルに対しては、挿通孔や装着溝や貫通孔を設け、且つ、係止爪を使用するタイプにあっては、一方のハンドルに対して、ガイド長孔の係合歯をそれ専用の鋸歯形状に加工しなければならないので、いずれにしても、加工が徒に大変となって、コスト高が助長される。
【課題を解決するための手段】
【０００８】
本発明は、斯かる従来のプライヤーが抱える課題を有効に解決するために開発されたもので、請求項１記載の発明は、上下の顎部を有する一対のハンドルとボルト・ナットとを備え、該ボルト・ナットで、一対のハンドルを回転可能に軸支するプライヤーにおいて、上記ハンドルを軸支するボルトの外周囲にスプリングを装着して、該外周囲に装着されたスプリングの弾発付勢力で、上記一対のハンドルの各顎部を口開きすることを特徴とする。
【０００９】
請求項２記載の発明は、請求項１を前提として、上記スプリングは、捩じりコイルばねであることを特徴とする。
【００１０】
請求項３記載の発明は、請求項２を前提として、捩じりコイルばねの一端部はボルト側に固定され、同他端部は一方のハンドル側にスライド可能に係止されていることを特徴とする。
【発明の効果】
【００１１】
依って、請求項１記載の発明にあっては、一対のハンドルの各顎部を口開きするスプリングがボルトの外周囲に装着されているだけであるから、部品点数が徒に増加することはなくなる結果、プライヤー自体のコストが安価となると共に、組み立て作業性も頗る容易となる。その上、このスプリングの収納スペースは制限を受けないので、比較的大きなスプリングを使用できる結果、長期使用に伴うヘタリも有効に防止できる。
【００１２】
請求項２記載の発明にあっては、スプリングとして捩じりコイルばねを使用するので、各顎部の口開きを確実に保証できると共に、既存の捩じりコイルばねを使用できるので、コストも安価となる。
【００１３】
請求項３記載の発明にあっては、捩じりコイルばねの一端部をボルト側に固定し、同他端部を一方のハンドル側にスライド可能に係止するだけなので、作業性が良くなることは勿論であるが、加工が簡略化されて、この点からも、コストが安価となる。
【図面の簡単な説明】
【００１４】
【図１】本発明の実施例に係るプライヤーを示す分解斜視図である。
【図２】捩じりコイルばねを示す斜視図である。
【図３】ボルトの外周囲に捩じりコイルばねを装着した状態を示す斜視図である。
【図４】プライヤーを組み立てた状態を示す斜視図である。
【図５】組み立てたプライヤーを示す要部側面図である。
【発明を実施するための最良の形態】
【００１５】
本発明は、上下の顎部を有する一対のハンドルとボルト・ナットとを備え、該ボルト・ナットで、一対のハンドルを回転可能に軸支するプライヤーを前提として、上記ハンドルを軸支するボルトの外周囲にスプリングを装着して、該外周囲に装着されたスプリングの弾発付勢力で、上記一対のハンドルの各顎部を口開きすることにより、部品点数の削減を図り、プライヤー自体の構造の簡素化を図らんとするものである。
【実施例】
【００１６】
以下、本発明を図示する好適な実施例に基づいて詳述すれば、該実施例に係るものは、ウオーターポンププライヤーを対象として開発されたもので、図１に示す如く、上下の顎部２Ａ・２Ｂを有する一対のハンドル１Ａ・１Ｂと、該一対のハンドル１Ａ・１Ｂを回転可能に軸支するボルト７・ナット８と、スプリングたる捩じりコイルばね９とを備え、上顎部２Ａを有する一方のハンドル１Ａの首部３Ａにボルト７を遊嵌するガイド長孔４を開設して、該ガイド長孔４の一側縁に波状の係合歯５を形成する一方、下顎部２Ｂを有する他方のハンドル１Ｂの首部３Ｂの対応部位にボルト７の先端を挿通する挿通孔６を穿設する構成となっている。
【００１７】
従って、本実施例の下では、一方のハンドル１Ａのガイド長孔４を経て、他方のハンドル１Ｂの挿通孔６にボルト７の先端を差し込んでナット８で締め付ければ、これにより、一対のハンドル１Ａ・１Ｂが回転可能に軸支されるので、後は、従来のものと同様に、ボルト７をガイド長孔４内で所定方向に移動させながら、その位置で係合歯５との係止状態を得て、両顎部２Ａ・２Ｂ間の距離を調節すれば、水道の蛇口ネジ等を簡単に緊締したり弛緩したりすることが可能となる。
【００１８】
そして、本実施例に係るウオーターポンププライヤーは、斯かる構成を前提として、図２にも示す如く、上記スプリングたる捩じりコイルばね９の一端部９ａを内側に折曲して、該折曲一端部９ａをボルト７の軸部に形成された固定孔１０に嵌入する構成となし、又、同他端部９ｂを外側に折曲して、該折曲他端部９ｂを一方のハンドル１Ａの上顎部２Ａとハンドル１Ａを結ぶ首部３Ａの側面にスライド可能に係止する構成となっている。
【００１９】
この為、本実施例にあって、同プライヤーを組み立てる場合には、図３に示す如く、ボルト７の軸部に形成された固定孔１０内に捩じりコイルばね９の折曲一端部９ａを嵌入して、捩じりコイルばね９をボルト７の外周囲に装着する状態を得て、同折曲他端部９ｂを一方のハンドル１Ａの首部３Ａに引っ掛けながら、ボルト７の先端を一方のハンドル１Ａのガイド長孔４から他方のハンドル１Ｂの挿通孔６に差し込んでナット８で締めすれば、これにより、図４に示す如く、プライヤー自体が極めて簡単に組み立てることが可能となる。
【００２０】
そして、斯かる組み立て状態にあっては、図５にも示す如く、従来と異なり、捩じりコイルばね９がボルト７の軸部の外周囲に装着されることとなるので、捩じりコイルばね９が使用上邪魔となることはないばかりが、ウオーターポンププライヤー自体の機能を害することも決してない。従って、従来と同様な機能を有する構造の簡素化されたプライヤーが提供できる。
【００２１】
尚、上記実施例は、ウオーターポンププライヤーを対象としたものであるが、本発明は、これに限定されるものではなく、本発明の精神に反しない限り、その他の各種プライヤーにも応用できることは言うまでもない。
【産業上の利用可能性】
【００２２】
本発明に係るプライヤーは、極めて簡単な構造で、顎部の自動口開きが簡単に得られるので、これをウオーターポンププライヤーやコンビネーションプライヤー等の各種プライヤーに応用すれば、頗る好都合なものとなる。
【符号の説明】
【００２３】
１Ａ  一方のハンドル
１Ｂ  他方のハンドル
２Ａ  上顎部
２Ｂ  下顎部
３Ａ  首部
３Ｂ  首部
４    ガイド長孔
５    係合歯
６    挿通孔
７    ボルト
８    ナット
９    捩じりコイルばね（スプリング）
９ａ  捩じりコイルばねの一端部
９ｂ  捩じりコイルばねの他端部
１０  固定孔
【図１】
2011230233.tif 000003
【図２】
2011230233.tif 000004
【図３】
2011230233.tif 000005
【図４】
2011230233.tif 000006
【図５】
2011230233.tif 000007